(57)【要約】【課題】フリッカー最適値とＤＣ最小値が等しくなるようにすることができる液晶表示装置を提供する。【解決手段】ＩＰＳ方式の液晶表示装置において、ブラックマトリクス１１へＤＣ電圧を供給する電源１４と、表示パネルの輝度を検出する輝度検出器１５と、前記輝度検出器１５からの検出値に基づいて前記電源１４から出力されるＤＣ電圧の電圧値を制御する制御部１６とを備え、制御部１６により、輝度検出器１５からの検出値に基づいて電源１４から出力されるＤＣ電圧の電圧値を制御する。【選択図】図１
2008008968.tif 000002
【特許請求の範囲】
【請求項１】
ＩＰＳ方式の液晶表示装置において、
ブラックマトリクスへＤＣ電圧を供給する電源と、
表示パネルの輝度を検出する輝度検出器と、
前記輝度検出器からの検出値に基づいて前記電源から出力されるＤＣ電圧の電圧値を制御する制御部と
を備えた液晶表示装置。
【請求項２】
請求項１に記載の液晶表示装置において、
前記制御部は、前記電源から前記ブラックマトリクスに印加する電圧を制御して、フリッカー最適値とＤＣ最小値のずれを改善するようにずれの調整を行う
ことを特徴とする液晶表示装置。
【請求項３】
請求項１または２に記載の液晶表示装置において、
前記ブラックマトリクスは、非導電材料でなる第１のブラックマトリクスと、前記第１のブラックマトリクスにより覆われて画素領域外に位置する導電材料でなる第２のブラックマトリクスとで形成された
ことを特徴とする液晶表示装置。
【発明の詳細な説明】
【技術分野】
【０００１】
本発明は、液晶表示装置に関するもので、特に、ＩＰＳ（In-Plane-Switching）方式のアクティブマトリクスＬＣＤ（Liquid Crystal Display）において、焼き付けとフリッカーの改善を図るものである。
【背景技術】
【０００２】
従来、ＩＰＳ方式のアクティブマトリクスＬＣＤにおいて、白輝度の低下や残像の発生を軽減するために、ブラックマトリクスを導電材料で形成し、そのブラックマトリクスと共通電極とを電気的に短絡させるものがある（例えば、特許文献１参照）。
【０００３】
【特許文献１】特開平９−２６９５０４号公報
【発明の開示】
【発明が解決しようとする課題】
【０００４】
しかしながら、ＩＰＳは横電界の印加の有無により白黒のスイッチングを行うようになされており、アレイ基板には画素電極に接続された信号線とゲート線による横電界の影響のため、フリッカー最適値でもＤＣ量が最小値にならず、焼き付けの原因となっている。
【０００５】
そこで、本発明は上述した点に鑑みてなされたもので、フリッカー最適値とＤＣ最小値が等しくなるようにすることができる液晶表示装置を提供するものである。
【課題を解決するための手段】
【０００６】
上記目的を達成するために、本発明に係る液晶表示装置は、ＩＰＳ方式の液晶表示装置において、ブラックマトリクスへＤＣ電圧を供給する電源と、表示パネルの輝度を検出する輝度検出器と、前記輝度検出器からの検出値に基づいて前記電源から出力されるＤＣ電圧の電圧値を制御する制御部とを備えたものである。
【発明の効果】
【０００７】
本発明によれば、輝度検出器からの検出値に基づいて電源から出力されるＤＣ電圧の電圧値を制御することで、ブラックマトリクスへのＤＣ電圧を制御して、フリッカー最適値とＤＣ最小値が等しくなるようにすることができる。
【発明を実施するための最良の形態】
【０００８】
実施の形態１．
図１は、本発明の実施の形態１に係る液晶表示装置のカラーフィルタ部を示す説明図であり、同図において、（ａ）は平面図、（ｂ）は（ａ）のＡ−Ａ’線断面図、（ｃ）は機能ブロック図である。
【０００９】
図１に示すように、カラーフィルタ１００は、ガラス基板１０上に形成されたブラックマトリクス１１と、ＲＧＢ着色層１２と、オーバーコート層（以下、ＯＣ層とも称す）１３とから形成されている。ここで、ブラックマトリクス１１は、樹脂製の導電材料のものが使用され、図面上では樹脂ＢＭと記している。なお、図１（ａ）に示す平面図では、ＲＧＢ着色層１２の開口部のみを示しているが、図１（ｂ）に示す断面図では、開口部以外にも存在する着色層全体を示している。
【００１０】
ブラックマトリクス１１にはＤＣを印加する電源１４が備えられ、この電源１４からの印加電圧は、表示パネルの輝度を検出する輝度検出器１５の検出値に基づいてＤＣ印加電圧を制御する制御部１６により制御される。すなわち、従来は、ブラックマトリクス１１への電圧はフローティングか共通電極への印加電圧Ｖｃｏｍに設定されているが、本発明では、制御部１６により、電源１４からブラックマトリクス１１への印加電圧を制御して、フリッカー最適値とＤＣ最小値のずれを改善するようにずれの調整を行うようになされている。
【００１１】
図２は、本発明の効果を説明するための、従来のＩＰＳ方式の液晶表示装置における各画素の輝度対信号電圧の特性図である。ここで、縦軸は輝度、横軸は画素電極への印加電圧である信号電圧の値をそれぞれ示している。図２に示すように、特性曲線ｂが輝度の最小値と信号電圧０Ｖの位置が一致しているのに対し、特性曲線ａ及びｃは輝度の最小値と信号電圧０Ｖの位置がずれている。これは、フリッカー最小値にしてもＤＣ電圧を０Ｖにできないことを示しており、フリッカーを最小値にしてもＤＣ電圧が印加されている状態なので、焼き付けのレベルが悪いことを示している。
【００１２】
本発明では、このような現象に対し、図１（ｃ）に示すブロック図において、輝度検出器１５により輝度値を検出し、制御部１６により輝度検出値に基づいて電源１４から出力されるＤＣ電圧値を制御する。このようにすることにより、輝度検出値に基づいてブラックマトリクス１１に印加するＤＣ電圧が制御され、図２に示す特性曲線ｂのように、特性曲線ａ及びｃを制御して、輝度値が０のときに信号電圧値が０となるようにして輝度値の対称性を持たせ、フリッカー最適値とＤＣ最小値が等しくなるようにする。
【００１３】
以上のように、実施の形態１によれば、輝度検出器１５からの検出値に基づいて電源１４から出力されるＤＣ電圧の電圧値を制御部１６により制御するようにしたので、ブラックマトリクス１１へのＤＣ電圧を制御して、フリッカー最適値とＤＣ最小値が等しくなるようにすることができる。
【００１４】
実施の形態２．
図３は、本発明の実施の形態２に係る液晶表示装置のカラーフィルタ部を示す説明図であり、同図において、（ａ）は平面図、（ｂ）は（ａ）のＢ−Ｂ’線断面図である。
【００１５】
図３に示す構成において、図１に示す実施の形態１と同一部分は同一符号を付しその説明は省略する。図３に示す実施の形態２においては、図１に示す実施の形態１に係る樹脂製の導電材料でなるブラックマトリクス１１に対し、樹脂製の非導電材料でなる第１のブラックマトリクス１７が設けられており、この第１のブラックマトリクス１７の下に金属製の導電材料でなる第２のブラックマトリクス１８が設けられている。ここで、第２のブラックマトリクス１８は、その幅が第１のブラックマトリクス１７の幅より狭く形成され、第１のブラックマトリクス１７により覆われて画素領域外に位置する。なお、図面上では、第１のブラックマトリクス１７を樹脂ＢＭ、第２のブラックマトリクス１８を金属ＢＭと記している。
【００１６】
すなわち、図１に示す実施の形態１において、導電材料でなるブラックマトリクス１１が画素領域内に入ると、画素電極と導電材料でなるブラックマトリクスとの間で生じる電界の影響により縦電界が発生し、むらを起こす場合があるので、図３に示す実施の形態２においては、画素領域内に導電材料が入らないように、樹脂製の非導電材料でなる第１のブラックマトリクス１７を形成し、その第１のブラックマトリクス１７の下に金属製の導電材料でなる第２のブラックマトリクス１８を形成している。
【００１７】
なお、信号線とゲート線は電圧が違うために、導電材料でなるブラックマトリクスを２層で形成し、それぞれ違う電圧を印加してずれを直す方法もある。
【００１８】
従って、実施の形態２によれば、ブラックマトリクスを、非導電材料でなる第１のブラックマトリクス１７と、第１のブラックマトリクス１７により覆われて画素領域外に位置する導電材料でなる第２のブラックマトリクス１８とで形成することで、縦電界の発生を抑止し、むらが発生するのを防止できる。
【図面の簡単な説明】
【００１９】
【図１】本発明の実施の形態１に係る液晶表示装置のカラーフィルタ部を示す説明図であり、（ａ）は平面図、（ｂ）は（ａ）のＡ−Ａ’線断面図、（ｃ）は機能ブロック図である。
【図２】本発明の効果を説明するためのもので、従来のＩＰＳ方式の液晶表示装置における各画素の輝度対信号電圧の特性図である。
【図３】本発明の実施の形態２に係る液晶表示装置のカラーフィルタ部を示す説明図であり、（ａ）は平面図、（ｂ）は（ａ）のＢ−Ｂ’線断面図である。
【符号の説明】
【００２０】
１００  カラーフィルタ、１０  ガラス基板、１１  ブラックマトリクス、１２  ＲＧＢ着色層、１３  オーバーコート層、１４  電源、１５  輝度検出器、１６  制御部、１７  第１のブラックマトリクス、１８  第２のブラックマトリクス。
【図１】
2008008968.tif 000003
【図２】
2008008968.tif 000004
【図３】
2008008968.tif 000005